(57)【要約】【課題】部材点数や組み立て工数を増加させることなく導光体の端部からの光の漏出を防止可能な画像読取装置及びそれを備えた画像形成装置を提供する。【解決手段】画像読取装置は、原稿載置面と、光源ユニットと、センサーユニットと、を備える。光源ユニットは、主走査方向の一端側に配置される第１光源と、第１導光体と、を有する第１光源部と、主走査方向の他端側に配置される第２光源と、第２導光体と、を有し、第１光源部に対し副走査方向に間隔を隔てて配置される第２光源部と、第１光源が実装される第１基板と、第２光源が実装される第２基板と、を有する。第１基板及び第２基板は、基板素体と、第１光源または第２光源が実装される実装部と、第１光源または第２光源の副走査方向に隣接して形成される反射面と、を有する。第１基板及び第２基板の反射面が、それぞれ第２導光体及び第１導光体の対向面の全域に重なるように対峙する。【選択図】図７
2019216381.tif 000002
【特許請求の範囲】
【請求項１】
原稿が載置される原稿載置面と、
前記原稿載置面に対向して配置され、前記原稿に照明光を照射する光源ユニットと、
前記原稿からの反射光を受光して電気信号に変換するセンサーユニットと、
を有し、
前記光源ユニットは、
主走査方向の一端側に配置される第１光源と、
前記主走査方向に延びる棒状であり、前記第１光源に対向して配置され前記主走査方向に沿って光が入射する光入射面と、前記主走査方向に沿って延設され前記光入射面から入射した光を出射する光出射面と、前記主走査方向に対し前記光入射面の反対側に配置され前記光入射面と対向する対向面と、を備える第１導光体と、
を有する第１光源部と、
前記主走査方向の他端側に配置される第２光源と、
前記主走査方向に延びる棒状であり、前記第２光源に対向して配置され前記主走査方向に沿って光が入射する光入射面と、前記主走査方向に沿って延設され前記光入射面から入射した光を出射する光出射面と、前記主走査方向に対し前記光入射面の反対側に配置され前記光入射面と対向する対向面と、を備える第２導光体と、
を有し、前記第１光源部に対して前記主走査方向と直交する副走査方向に間隔を隔てて配置される第２光源部と、
前記第１光源が実装される第１基板と、
前記第２光源が実装される第２基板と、
を備え、
前記光源ユニットを前記副走査方向に移動させて前記原稿載置面に載置された前記原稿を読み取る画像読取装置において、
前記第１基板及び前記第２基板は、それぞれ金属製の基板素体と、前記基板素体に絶縁層を被覆して形成され、前記第１光源または前記第２光源が実装される実装部と、前記第１光源または前記第２光源の前記副走査方向に隣接して形成される反射面と、を有し、
前記第１基板の前記反射面が前記第２導光体の前記対向面の全域に重なるように対峙し、前記第２基板の前記反射面が前記第１導光体の前記対向面の全域に重なるように対峙することを特徴とする画像読取装置。
【請求項２】
前記基板素体は、金属光沢を有する銀色の金属板で形成されており、前記反射面は、前記実装部の前記副走査方向に隣接して形成され、前記基板素体の金属表面が露出する非実装面であることを特徴とする請求項１に記載の画像読取装置。
【請求項３】
前記基板素体は、アルミ板であることを特徴とする請求項２に記載の画像読取装置。
【請求項４】
前記反射面は、前記実装部の表面に形成される金属製の電極パッドであることを特徴とする請求項１に記載の画像読取装置。
【請求項５】
前記電極パッドは、前記実装部の表面に形成される半田付け部であることを特徴とする請求項４に記載の画像読取装置。
【請求項６】
前記反射面の光反射率が８５％以上であることを特徴とする請求項１乃至請求項５のいずれかに記載の画像読取装置。
【請求項７】
前記第１基板及び前記第２基板は互いに同一の形状であり、前記第２基板は前記第１基板を１８０°反転させて用いることを特徴とする請求項１乃至請求項６のいずれかに記載の画像読取装置。
【請求項８】
請求項１乃至請求項７のいずれかに記載の画像読取装置を備えた画像形成装置。
【発明の詳細な説明】
【技術分野】
【０００１】
本発明は、デジタル複写機やイメージスキャナー等に用いられる、原稿を走査して読み取る画像読取装置及びそれを備えた画像形成装置に関する。
【背景技術】
【０００２】
従来、ミラースキャン方式の複写機などにおいては、原稿読取部の原稿台に固定されたコンタクトガラス上に原稿を載置し、コンタクトガラスの下方に設けられ光源及びミラーが搭載されたキャリッジを所定の駆動装置で原稿面と平行に移動（走査）させることにより、原稿画像を読み取るフラットベッド型の画像読取装置が広く用いられている。
【０００３】
このような画像読取装置においては、読取領域に対して副走査方向の両側に配置された２つの光源を用いて原稿に光照射することで、原稿からの反射光（画像光）をレンズにより集光してＣＣＤ等のセンサー面に結像することにより画像データを読み取る。一方、近年のＬＥＤ（発光ダイオード）の普及により、画像読取装置の光源として円筒状の導光体および長手方向の端部に配置されたＬＥＤからなるサイドライト方式が用いられている。
【０００４】
例えば特許文献１には、照明装置として、それぞれの両端部に一対の第１光源及び第２光源が配置された第１導光体及び第２導光体を備え、読取速度やカラー/白黒等の読み取りモードに応じて、第１光源及び第２光源の発光動作を制御する画像読取装置が開示されている。この方式は、導光体の長手方向端部よりＬＥＤの光を入射して原稿の主走査方向全域を照射するため、多数のＬＥＤを必要とせず、照明装置として低コストであるという利点を有する。一方、導光体の一端部からＬＥＤの光を入射するため、導光体の他端部より光が漏出するという問題点も有する。
【０００５】
そこで、導光体のＬＥＤと反対側の端面にアルミテープ等の反射部材を設けることにより光の漏出を防止する方法が採用されている。例えば特許文献２には、棒状導光体と、導光体の一端に配置された光源部と、導光体の他端に配置された反射体と、を備える光源装置が開示されている。
【先行技術文献】
【特許文献】
【０００６】
【特許文献１】特開２０１６−６７０１２号公報
【特許文献２】特開２０１１−６１４１１号公報
【発明の概要】
【発明が解決しようとする課題】
【０００７】
特許文献２のように導光体のＬＥＤと反対側の端面に反射部材を配置する構成では、部材点数や組み立て工数が増加するため、画像読取装置のコストアップに繋がるという問題点があった。
【０００８】
本発明は上記問題点に鑑み、部材点数や組み立て工数を増加させることなく導光体の端部からの光の漏出を防止可能な画像読取装置及びそれを備えた画像形成装置を提供することを目的とする。
【課題を解決するための手段】
【０００９】
上記目的を達成するために本発明の第１の構成は、原稿載置面と、光源ユニットと、センサーユニットと、を備える画像読取装置である。原稿載置面は、原稿が載置される。光源ユニットは、原稿載置面に対向して配置され、原稿に照明光を照射する。センサーユニットは、原稿からの反射光を受光して電気信号に変換する。光源ユニットは、第１光源部と、第２光源部と、第１基板と、第２基板と、を有する。第１光源部は、第１光源と、第１導光体と、を有する。第１光源は、主走査方向の一端側に配置される。第１導光体は、主走査方向に延びる棒状であり、第１光源に対向して配置され主走査方向に沿って光が入射する光入射面と、主走査方向に沿って延設され光入射面から入射した光を出射する光出射面と、主走査方向に対し光入射面の反対側に配置され光入射面と対向する対向面と、を備える。第２光源部は、第２光源と、第２導光体と、を有し、第１光源部に対して主走査方向と直交する副走査方向に間隔を隔てて配置される。第２光源は、主走査方向の他端側に配置される。第２導光体は、主走査方向に延びる棒状であり、第２光源に対向して配置され主走査方向に沿って光が入射する光入射面と、主走査方向に沿って延設され光入射面から入射した光を出射する光出射面と、主走査方向に対し光入射面の反対側に配置され光入射面と対向する対向面と、を有する。第１基板は、第１光源が実装される。第２基板は、第２光源が実装される。画像読取装置は、光源ユニットを副走査方向に移動させて原稿載置面に載置された原稿を読み取る。第１基板及び第２基板は、それぞれ金属製の基板素体と、実装部と、反射面と、を有する。実装部は、基板素体に絶縁層を被覆して形成され、第１光源または第２光源が実装される。反射面は、第１光源または第２光源の副走査方向に隣接して形成される。第１基板の反射面が第２導光体の対向面の全域に重なるように対峙し、第２基板の反射面が第１導光体の対向面の全域に重なるように対峙する。
【発明の効果】
【００１０】
本発明の第１の構成によれば、第１導光体、第２導光体の光入射面から入射し、本体部を通過して対向面に到達した光は、それぞれ第２基板、第１基板の反射面によって反射される。これにより、第１導光体、第２導光体の対向面からの光の漏出を効果的に抑制することができる。また、第１基板、第２基板を副走査方向に延長して反射面を形成するため、第１導光体、第２導光体の対向面にアルミテープ等の反射部材を貼り付ける必要もなくなり、部材点数や組み立て工数も削減することができる。
【図面の簡単な説明】
【００１１】
【図１】画像読取装置１０５が搭載された画像形成装置１００の内部構造を示す側面断面図
【図２】本発明の第１実施形態に係る画像読取装置１０５の斜視図
【図３】第１実施形態の画像読取装置１０５の内部構造を示す側面断面図
【図４】第１実施形態の画像読取装置１０５に用いられる第１光源部２０及び第２光源部２１が搭載される第１キャリッジ２８の平面図
【図５】第１実施形態の画像読取装置１０５に用いられる第１光源部２０を構成する第１導光体４１ａの斜視図
【図６】第１実施形態の画像読取装置１０５に用いられる第１基板４３ａを上方から見た側面図
【図７】第１実施形態の画像読取装置１０５に用いられる第１基板４３ａの平面図
【図８】第１実施形態の画像読取装置１０５に用いられる第１光源部２０の主走査方向における配光シミュレーションを示すグラフ
【図９】本発明の第２実施形態に係る画像読取装置１０５に用いられる第１基板４３ａを上方から見た側面図
【図１０】第２実施形態の画像読取装置１０５に用いられる第１基板４３ａの平面図
【図１１】第２実施形態の画像読取装置１０５に用いられる第１光源部２０の主走査方向における配光シミュレーションを示すグラフ
【発明を実施するための形態】
【００１２】
以下、図面を参照しながら本発明の実施形態について詳細に説明する。図１は、本発明の第１実施形態に係る画像読取装置１０５が搭載された画像形成装置１００の内部構造を示す側面断面図である。なお、図１中の実線矢印は用紙Ｐの搬送経路、及び搬送方向を示す。
【００１３】
図１において、画像形成装置１００の下部には、カセット式給紙部１０１が配置されている。カセット式給紙部１０１には、２つの給紙カセット１ａ、１ｂが備えられている。この給紙カセット１ａ、１ｂの内部に、印字前のカットペーパー等の用紙Ｐの束が積載して収容され、画像形成装置１００本体に備えられた給紙ユニット１１７ａ、１１７ｂにより用紙Ｐの束から用紙Ｐが１枚ずつ分離して送り出される。
【００１４】
手差し給紙部１０２は、画像形成装置１００の右側面上部の外部に備えられている。手差し給紙部１０２には、カセット式給紙部１０１と異なるサイズや厚みの用紙や、ＯＨＰシート、封筒、葉書き、送り状等のように１枚ずつ送り込まれるものが載置される。
【００１５】
画像形成装置１００内には用紙搬送部１０３が配置されている。用紙搬送部１０３は、カセット式給紙部１０１に対し、給紙方向下流側である右方に位置し、手差し給紙部１０２に対し、給紙方向下流側である左方に位置する。カセット式給紙部１０１から送り出された用紙Ｐは、用紙搬送部１０３により画像形成装置１００本体の側面に沿って垂直上方に搬送され、手差し給紙部１０２から送り出された用紙Ｐは水平に搬送される。
【００１６】
画像形成装置１００の上部には原稿搬送装置１０４が配置され、その下方には画像読取装置１０５が配置されている。画像読取装置１０５の上面には手置き原稿用ガラス１０ａと自動読取用ガラス１０ｂから成るコンタクトガラス１０（図２、図３参照）が配置されている。原稿搬送装置１０４では複数枚の原稿の束から原稿が１枚ずつ分離して送り出され、画像読取装置１０５によって原稿の画像データが読み取られる。
【００１７】
用紙搬送部１０３の用紙搬送方向下流側であって、画像読取装置１０５の下方には、画像形成部１０６、及び転写部１０７が配置されている。画像形成部１０６では、画像読取装置１０５によって読み取られた画像データに基づいて原稿画像の静電潜像が形成され、この静電潜像が現像されてトナー像が形成される。一方、画像形成部１０６におけるトナー像の形成タイミングと同期をとってカセット式給紙部１０１または手差し給紙部１０２から用紙搬送部１０３を介して用紙Ｐが転写部１０７に搬送される。画像形成部１０６において形成されたトナー像は、転写部１０７において用紙Ｐ上に転写される。
【００１８】
転写部１０７の下流側には、定着部１０８が配置されている。転写部１０７においてトナー像が転写された用紙Ｐは、定着部１０８へと搬送され、加熱ローラー及び加圧ローラーから成る定着ローラー対のニップ部を通過することにより、用紙Ｐ上のトナー像が定着されて永久像とされる。定着部１０８から排出された用紙Ｐは、画像形成装置１００の左側面外側に設けられた用紙排出トレイ１１１に排出される。
【００１９】
図２は、第１実施形態の画像読取装置１０５の斜視図である。画像読取装置１０５は、フレーム１０５ａ（原稿載置台）の上面に設けられたコンタクトガラス１０と、コンタクトガラス１０上に載置された原稿を押圧して保持するプラテン１１を備えている。プラテン１１は、フレーム１０５ａの上面の端部２箇所に設けられたヒンジ部１３により上下方向に開閉可能に支持されている。図２ではプラテン１１を開放した状態を示している。また、プラテン１１の裏面には、コンタクトガラス１０上に載置された原稿を押圧する白色マット１５が設けられている。プラテン１１の上面（図２の背面）には原稿搬送装置１０４（図１参照）が取り付けられている。
【００２０】
図３は、第１実施形態の画像読取装置１０５の内部構造を示す側面断面図である。画像読取装置１０５のフレーム１０５ａ内には、原稿の画像面に向けて光を照射する光源ユニット２８と、原稿からの反射光（画像光）を反射させるミラーユニット２９と、反射光を受けて電気信号に変換するセンサーユニット３０と、を備える。なお、図３において原稿からの反射光の光路を一点鎖線で示す。
【００２１】
光源ユニット２８は、第１光源部２０、第２光源部２１、及び原稿からの反射光（画像光）を直接に受けて反射させる第１ミラー２３が第１キャリッジ２８ａ上に固定されている。ミラーユニット２９は、第１ミラー２３からの反射光を受けて反射させる第２ミラー２４と、第２ミラー２４からの反射光を受けて反射させる第３ミラー２５が第２キャリッジ２９ａ上に固定されている。光源ユニット２８及びミラーユニット２９は走査手段を構成しており、相互に連携しながら独立して副走査方向（矢印ＢＢ′方向）に往復移動可能である。
【００２２】
センサーユニット３０は、第３ミラー２５からの反射光を導入して集光するレンズ群（不図示）を保持した鏡胴２６と、鏡胴２６のレンズ群で集光された反射光を受けて電気信号に変換する光電変換素子を備えたライン型のＣＣＤ（光電変換部材）センサー２７と、がベースプレート３０ａ上に配設されている。
【００２３】
手置き原稿用ガラス１０ａ上に載置された原稿画像を読み取る場合は、第１光源部２０、第２光源部２１からの光により原稿の画像面を照射しながら、光源ユニット２８及びミラーユニット２９をスキャナーホーム側（図３の左側）からスキャナーリターン側（図３の右側）へ所定の速度で移動（走査移動）させる。このとき、光源ユニット２８とミラーユニット２９は相互に反射光の光路長を一定に維持しながら移動する。原稿の画像面で反射した反射光は、第１ミラー２３〜第３ミラー２５で反射して鏡胴２６内のレンズ群に導入され、レンズ群で集光されてＣＣＤセンサー２７上に結像する。
【００２４】
一方、原稿搬送装置１０４を用いてシートスルー方式により原稿画像を読み取る場合は、光源ユニット２８及びミラーユニット２９を自動読取用ガラス１０ｂの直下に移動させる。そして、原稿搬送装置１０４によって自動読取用ガラス１０ｂに向けて順次搬送される原稿の表面を第１光源部２０及び第２光源部２１からの光で照射する。原稿の画像面で反射された画像光は、第１ミラー２３〜第３ミラー２５、鏡胴２６を通過してＣＣＤセンサー２７上に結像する。
【００２５】
ＣＣＤセンサー２７上に結像した画像光は、ＣＣＤセンサー２７において光電変換処理がなされ、画素分解されて各画素の濃度に応じた電気信号に変換されて画像の読み取りが行われる。
【００２６】
図４は、第１光源部２０及び第２光源部２１が搭載される光源ユニット２８の平面図である。第１光源部２０及び第２光源部２１は、コンタクトガラス１０に配置された原稿を焦点位置として光を照射する。第１光源部２０及び第２光源部２１は、それぞれ第１キャリッジ２８ａ上において、主走査方向（図４の矢印ＡＡ′方向）に沿って配置される。
【００２７】
第１光源部２０は、第１光源４０ａと、第１導光体４１ａとを備える。第２光源部２１は、第１光源部２０と副走査方向（図４の矢印ＢＢ′方向）に所定の間隔を隔てて配置され、第２光源４０ｂと、第２導光体４１ｂとを備える。
【００２８】
第１光源４０ａ、第２光源４０ｂは、薄い矩形板状であり白色光を発する白色ＬＥＤ（Light Emitting Diode）である。白色ＬＥＤとしては、例えば、青色光又は紫外光を発するＧａＮ系またはＩｎＧａＮ系半導体発光素子を、蛍光体入り透明樹脂で封入してなる高輝度ＬＥＤパッケージを用いることができる。第１光源４０ａは、第１導光体４１ａの主走査方向の一方側（矢印Ａ方向）の端面（光入射面５１ａ）に対向して配置される。第２光源４０ｂは、第２導光体４１ｂの主走査方向の他方側（矢印Ａ′方向）の端面（光入射面５１ａ）に対向して配置される。
【００２９】
第１導光体４１ａ、第２導光体４１ｂは、主走査方向に長い棒状である。第１導光体４１ａは、第１光源４０ａから出射された照明光を主走査方向（矢印Ａ′方向）に伝搬するとともに、ライン状の照明光に変換して出射する。第２導光体４１ｂは、第１導光体４１ａと副走査方向に間隔をおいて配置され、第２光源４０ｂから出射された照明光を主走査方向（矢印Ａ方向）に伝搬するとともに、ライン状の照明光に変換して出射する。
【００３０】
図５は、第１光源部２０を構成する第１導光体４１ａの斜視図である。なお、第２導光体４１ｂは光源ユニット２８における配置方向が主走査方向に対称である以外は第１導光体４１ａと同様の構成を有するため説明を省略する。
【００３１】
第１導光体４１ａは、アクリル樹脂などの透光性の樹脂材料によって棒状に成形され、本体部５１と、光入射面５１ａと、光出射面５１ｂと、光反射面５１ｃとを有する。本体部５１は、第１光源４０ａから出射された照明光を導光する。光入射面５１ａは、本体部５１の主走査方向の一端面（図５の左手前側の端面）であって第１光源４０ａの発光面が対向配置される。
【００３２】
光出射面５１ｂは、本体部５１の上面側（コンタクトガラス１０と対向する側）において主走査方向に沿って延在し、光入射面５１ａから入射した照明光をコンタクトガラス１０（原稿）に向けて出射する面である。光出射面５１ｂは、副走査方向において比較的緩い凸状の曲面形状を有している。
【００３３】
光反射面５１ｃは、光出射面５１ｂに対向して本体部５１の下面側に形成され、主走査方向に沿って延びる帯状の面であって、本体部５１内を伝搬する照明光を光出射面５１ｂに向けて反射する。光反射面５１ｃは、微小なプリズム（図示せず）が多数形成された平坦面であり、このプリズムによって光出射面５１ｂに向かって照明光が反射される。
【００３４】
上記の構成では、コンタクトガラス１０上に載置される原稿、若しくは原稿搬送装置１０４により自動読取位置に搬送される原稿には、第１導光体４１ａ及び第２導光体４１ｂの２つの導光体から光が照射される。また、第１導光体４１ａ及び第２導光体４１ｂには、それぞれ第１光源４０ａ、第２光源４０ｂが配置される。このため、副走査方向の異なる２方向から原稿に光を照射することができ、凹凸のある原稿を読み取る際の影の発生を抑制することができる。また、１本の導光体から光が照射される場合と比較して、より大きな光量で原稿に光を照射することができる。また、第１光源４０ａ、第２光源４０ｂの１個当たりの発光量が小さくて済むため、第１光源４０ａ、第２光源４０ｂからの発熱量を低減することができる。従って、光源、導光体、及び周囲の部材の熱劣化や熱変形を抑制することができる。
【００３５】
また、第１導光体４１ａの一端側に第１光源４０ａを配置し、第２導光体４１ｂの他端側に第２光源４０ｂを配置することにより、第１導光体４１ａには主走査方向の一端側から照明光が進入し、第２導光体４１ｂには主走査方向の他端側から照明光が進入する。従って、第１導光体４１ａ、第２導光体４１ｂの２つの導光体を使用する際の主走査方向における照明光の均一性を確保することができる。
【００３６】
図４に戻って、第１光源部２０及び第２光源部２１の主走査方向の両端部には第１基板４３ａ、第２基板４３ｂが配置されている。第１基板４３ａには第１光源４０ａが実装されており、第２基板４３ｂには第２光源４０ｂが実装されている。第１基板４３ａは、主走査方向の一端側（矢印Ａ方向の端部）において第１導光体４１ａ及び第２導光体４１ｂの一端部を支持する。第２基板４３ｂは、第１方向の他端側（矢印Ａ′方向の端部）において第１導光体４１ａ及び第２導光体４１ｂの他端部を支持する。
【００３７】
図６は、第１基板４３ａを上方から見た側面図であり、図７は、第１基板４３ａの平面図である。図６及び図７に示すように、第１基板４３ａは、基板素体６０と、実装部６１と、非実装面６３とを有する。
【００３８】
基板素体６０は、金属光沢を有する銀色の金属板で形成される。本実施形態では、基板素体６０としてアルミ板を用いることにより、後述する非実装面６３の光反射率を高めるとともに第１光源４０ａとして用いるＬＥＤの放熱効果を高めている。
【００３９】
実装部６１は、基板素体６０に絶縁層を被覆して形成されており、第１光源４０ａを含む電子部品が実装される。第１光源４０ａには第１導光体４１ａの光入射面５１ａ（図５参照）が対向配置される。非実装面６３は、実装部６１の副走査方向に隣接して形成され、基板素体６０の金属表面が露出する面である。非実装面６３には第２導光体４１ｂの光入射面５１ａと反対側の対向面５１ｄ（図５参照）が対向配置される。
【００４０】
また、ここでは図示しないが、第２基板４３ｂは光源ユニット２８における配置方向が主走査方向及び副走査方向に対称である以外は第１基板４３ａと同様の構成を有する。そして、第２基板４３ｂの実装部６１には第２光源４０ｂが実装され、第２導光体４１ｂの光入射面５１ａが対向配置される。また、第２基板４３ｂの非実装面６３には第１導光体４１ａの対向面５１ｄが対向配置される。
【００４１】
本実施形態の構成によれば、第１基板４３ａ、第２基板４３ｂの非実装面６３が、それぞれ第２導光体４１ｂ、第１導光体４１ａの対向面５１ｄに対向する。これにより、第１導光体４１ａ、第２導光体４１ｂの光入射面５１ａから入射し、本体部５１を通過して対向面５１ｄに到達した光は、金属表面が露出する非実装面６３によって反射される。即ち、非実装面６３が対向面５１ｄから出射される光の反射面として機能する。非実装面６３の光反射率は８５％以上であることが好ましい。
【００４２】
また、第１基板４３ａ、第２基板４３ｂを副走査方向に延長するだけで反射面である非実装面６３を形成できるため、第１導光体４１ａ、第２導光体４１ｂの対向面５１ｄにアルミテープ等の反射部材を貼り付ける必要もなくなる。その結果、部材点数や組み立て工数も削減することができる。
【００４３】
さらに、第１基板４３ａと第２基板４３ｂとを同一の形状とし、第２基板４３ｂは第１基板４３ａを１８０°反転させて用いることにより、第１基板４３ａ及び第２基板４３ｂに共通の基板を使用することができ、部品点数及び製造コストを低減することができる。
【００４４】
図８は、第１実施形態の画像読取装置１０５に用いられる第１光源部２０の主走査方向における配光シミュレーションを示すグラフである。図８において、横軸に主走査方向の位置、縦軸に照度（ルクス）をとり、主走査方向の位置は、第１導光体４１ａの長手方向中央部を０としてプラス側を光入射面５１ａ（第１光源４０ａ）側、マイナス側を対向面５１ｄ側とした。
【００４５】
図８に示すように、第２基板４３ｂに形成された非実装面６３を第１導光体４１ａの対向面５１ｄに対向配置した本実施形態の構成（図８の○のデータ系列）では、第１導光体４１ａの対向面５１ｄにアルミテープを貼り付けた従来の構成（図８の△のデータ系列）と同様に、第１導光体４１ａの長手方向全域に亘って１００００ルクス以上の照度を確保することができた。一方、第１導光体４１ａの対向面５１ｄにアルミテープを貼り付けず、第２基板４３ｂに非実装面６３も形成しない構成（図８の□のデータ系列）では、光入射面５１ａから対向面５１ｄに向かうにつれて照度が低くなった。
【００４６】
なお、第２光源４０ｂと第２導光体４１ｂとを有する第２光源部２１の主走査方向における配光シミュレーション結果についても図８と同様となる。以上の結果より、第１基板４３ａ、第２基板４３ｂに非実装面６３を形成することで、第１導光体４１ａ、第２導光体４１ｂの対向面５１ｄからの光の漏出を効果的に抑制できることが確認された。
【００４７】
図９は、本発明の第２実施形態に係る画像読取装置１０５に用いられる第１基板４３ａを上方から見た側面図であり、図１０は、第２実施形態の画像読取装置１０５に用いられる第１基板４３ａの平面図である。図９及び図１０に示すように、第１基板４３ａは、基板素体６０と、実装部６１と、を有する。実装部６１は基板素体６０の全面を被覆するように形成されている。
【００４８】
実装部６１の副走査方向の一方側（図１０の左側）には第１光源４０ａが実装され、他方側（図１０の右側）には電極パッド６５が形成されている。電極パッド６５は第１基板４３ａの作製時に実装部６１に半田（主成分は錫）を載せることで形成される半田付け部であり、表面は金属光沢を有する。第１光源４０ａには第１導光体４１ａの光入射面５１ａ（図５参照）が対向配置される。電極パッド６５には第２導光体４１ｂの光入射面５１ａと反対側の対向面５１ｄ（図５参照）が対向配置される。
【００４９】
また、ここでは図示しないが、第２基板４３ｂは光源ユニット２８における配置方向が主走査方向及び副走査方向に対称である以外は第１基板４３ａと同様の構成を有する。そして、第２基板４３ｂの実装部６１には第２光源４０ｂが実装されるとともに、電極パッド６５が形成される。第２光源４０ｂには第２導光体４１ｂの光入射面５１ａが対向配置される。また、電極パッド６５には第１導光体４１ａの対向面５１ｄが対向配置される。
【００５０】
本実施形態の構成によれば、第１基板４３ａ、第２基板４３ｂに形成された電極パッド６５が、それぞれ第２導光体４１ｂ、第１導光体４１ａの対向面５１ｄに対向する。これにより、第１導光体４１ａ、第２導光体４１ｂの光入射面５１ａから入射し、本体部５１を通過して対向面５１ｄに到達した光は、金属光沢を有する電極パッド６５によって反射される。即ち、電極パッド６５が対向面５１ｄから出射される光の反射面として機能する。
【００５１】
また、第１基板４３ａ、第２基板４３ｂを副走査方向に延長するとともに半田付けによって反射面となる電極パッド６５を形成できるため、第１導光体４１ａ、第２導光体４１ｂの対向面５１ｄにアルミテープ等の反射部材を貼り付ける必要もなくなる。その結果、部材点数や組み立て工数も削減することができる。
【００５２】
さらに、第１基板４３ａと第２基板４３ｂとを同一の形状とし、第２基板４３ｂは第１基板４３ａを１８０°反転させて用いることにより、第１基板４３ａ及び第２基板４３ｂに共通の基板を使用することができ、部品点数及び製造コストを低減することができる。
【００５３】
図１１は、第２実施形態の画像読取装置１０５に用いられる第１光源部２０の主走査方向における配光シミュレーションを示すグラフである。図１１において、横軸に主走査方向の位置、縦軸に照度（ルクス）をとり、主走査方向の位置は、第１導光体４１ａの長手方向中央部を０としてプラス側を光入射面５１ａ（第１光源４０ａ）側、マイナス側を対向面５１ｄ側とした。
【００５４】
図１１に示すように、第２基板４３ｂに形成された電極パッド６５を第１導光体４１ａの対向面５１ｄに対向配置した本実施形態の構成（図１１の○のデータ系列）では、第１導光体４１ａの対向面５１ｄにアルミテープを貼り付けた従来の構成（図１１の△のデータ系列）と同様に、第１導光体４１ａの長手方向全域に亘って１００００ルクス以上の照度を確保することができた。一方、第１導光体４１ａの対向面５１ｄにアルミテープを貼り付けず、第２基板４３ｂに電極パッド６５も形成しない構成（図１１の□のデータ系列）では、光入射面５１ａから対向面５１ｄに向かうにつれて照度が低くなった。
【００５５】
なお、第２光源４０ｂと第２導光体４１ｂとを有する第２光源部２１の主走査方向における配光シミュレーション結果についても図１１と同様となる。以上の結果より、第１基板４３ａ、第２基板４３ｂに電極パッド６５を形成することで、第１導光体４１ａ、第２導光体４１ｂの対向面５１ｄからの光の漏出を効果的に抑制できることが確認された。
【００５６】
その他、本発明は上記各実施形態に限定されるものではなく、本発明の趣旨を逸脱しない範囲で種々の変更が可能である。例えば、上記各実施形態では、画像形成装置１００に搭載される画像読取装置１０５を例に挙げて説明したが、画像形成装置１００と別体で用いられるイメージスキャナーにも全く同様に適用することができる。
【産業上の利用可能性】
【００５７】
本発明は、デジタル複写機やイメージスキャナー等に用いられる、原稿を走査して読み取る画像読取装置に利用可能である。本発明の利用により、部材点数や組み立て工数を増加させることなく導光体の端部からの光の漏出を防止可能な画像読取装置及びそれを備えた画像形成装置を提供することができる。
【符号の説明】
【００５８】
１０      コンタクトガラス（原稿載置面）
２０      第１光源部
２１      第２光源部
２３      第１ミラー
２４      第２ミラー
２５      第３ミラー
２６      鏡胴
２７      ＣＣＤセンサー
２８      光源ユニット
２９      ミラーユニット
３０      センサーユニット
４０ａ    第１光源
４０ｂ    第２光源
４１ａ    第１導光体
４１ｂ    第２導光体
４３ａ    第１基板
４３ｂ    第２基板
５１      本体部
５１ａ    光入射面
５１ｂ    光出射面
５１ｃ    光反射面
５１ｄ    対向面
６０      基板素体
６１      実装部
６３      非実装面（反射面）
６５      電極パッド（反射面）
１００      画像形成装置
１０５      画像読取装置
【図１】
2019216381.tif 000003
【図２】
2019216381.tif 000004
【図３】
2019216381.tif 000005
【図４】
2019216381.tif 000006
【図５】
2019216381.tif 000007
【図６】
2019216381.tif 000008
【図７】
2019216381.tif 000009
【図８】
2019216381.tif 000010
【図９】
2019216381.tif 000011
【図１０】
2019216381.tif 000012
【図１１】
2019216381.tif 000013